(57)【要約】【課題】  ゴミの除去作業を必要とすることなしに、小動物が一般道路側から排水口を伝って高速道路側へ浸入するのを防止することができる排水溝における小動物侵入防止具の提供。【解決手段】  排水溝１内において雨水の上流側で排水溝１の開口縁部付近を支点として上下回動可能なフロート２を備え、フロー２の排水溝内底部１１への下降時に該フロート２により、又はフロート２及び該フロート２上に付設した浸入阻止体５により小動物の浸入を阻止可能に構成され、フロート２における排水溝１の巾方向の縦断面形状が排水溝１の内面形状にほぼ沿った略方形であり、かつ、フロート２の底面２１から排水溝１の上流側面２２にかけて排水溝１上流側へ向けて立ち上がる流線型に形成され、フロート２の平面形状が上流側先細り状に形成されている。【選択図】      図１
2013151790.tif 000002
【特許請求の範囲】
【請求項１】
排水溝内において雨水の上流側で排水溝開口縁部付近を支点として上下回動可能なフロートを備え、
前記フロートの排水溝内底部への下降時に該フロートにより、又はフロート及び該フロート上に付設した浸入阻止体により小動物の浸入を阻止可能に構成されていることを特徴とする排水溝における小動物侵入防止具。
【請求項２】
請求項１に記載の排水溝における小動物侵入防止具において、
前記フロートにおける排水溝の巾方向の縦断面形状が排水溝の内面形状にほぼ沿った略方形であり、かつ、フロートの底面から排水溝の上流側面にかけて排水溝の上流側へ向けて立ち上がる流線型に形成されていることを特徴とする排水溝における小動物侵入防止具。
【請求項３】
請求項２記載の排水溝における小動物侵入防止具において、
前記フロートの平面形状が上流側先細り状に形成されていることを特徴とする排水溝における小動物侵入防止具。
【請求項４】
請求項１記載の排水溝における小動物侵入防止具において、
前記フロートが球体であり、該フロートの上面に浸入阻止体を付設していることを特徴とする排水溝における小動物侵入防止具。
【発明の詳細な説明】
【技術分野】
【０００１】
本発明は、高速道路と一般道路との間ののり面に配置された雨水の排水溝を伝って小動物が高速道路側へ侵入するのを防止する排水溝における小動物侵入防止具に関する。
【背景技術】
【０００２】
通常、高架線となっている高速度路と一般道路との間は防音壁などの壁で仕切られると共に、両道路間ののり面には高速道路側の雨水を一般道路側へ排水するための排水溝が設けられているが、この排水溝には一部にしか溝蓋が付けられていないのが一般的である。このため、一般道路側からタヌキやイノシシ等の子供が排水溝を伝って高速道路側へ侵入する場合があり、高速道路を走行する車との衝突事故を起こす虞があった。
【０００３】
なお、排水溝に設置するスクリーンとして、例えば、特許文献１に示すようなゴミ除去用スクリーン付き溝蓋が開示されている。
ところが、この従来例では、スクリーンに溜まったゴミを定期的に除去する作業が必要で極めて面倒であり、また、このスクリーンは排水溝の上流側に回動自在であるため、小動物の侵入防止効果が得られないものである。
【先行技術文献】
【特許文献】
【０００４】
【特許文献１】特許第３９８６４１８号公報
【発明の概要】
【発明が解決しようとする課題】
【０００５】
本発明の解決しようとする課題は、ゴミの除去作業を必要とすることなしに、小動物が一般道路側から排水溝を伝って高速道路側へ浸入するのを防止することができる排水溝における小動物侵入防止具を提供することにある。
【課題を解決するための手段】
【０００６】
上記課題を解決するため請求項１記載の排水溝における小動物侵入防止具は、
排水溝内において雨水の上流側で排水溝開口縁部付近を支点として上下回動可能なフロートを備え、
前記フロートの排水溝内底部への下降時に該フロートにより、又はフロート及び該フロート上に付設した浸入阻止体により小動物の浸入を阻止可能に構成されていることを特徴とする手段とした。
【０００７】
また、請求項２記載の発明は、請求項１記載の発明において、
前記フロートにおける排水溝の巾方向の縦断面形状が排水溝の内面形状にほぼ沿った略方形であり、かつ、排水溝の巾方向と直交する縦断面形状がフロートの底面から排水溝の上流側面にかけて排水溝の上流側へ向けて立ち上がる流線型に形成されていることを特徴とする手段とした。
【０００８】
また、請求項３記載の発明は、請求項２記載の発明において、
前記フロートの平面形状が上流側先細り状に形成されていることを特徴とする手段とした。
【０００９】
また、請求項４記載の発明は、請求項１記載の発明において、
前記フロートが球体であり、該フロートの上面に浸入阻止体を付設していることを特徴とする手段とした。
【発明の効果】
【００１０】
請求項１記載の発明では、上述のように、排水溝内において雨水の上流側で排水溝開口縁部付近を支点として上下回動可能なフロートを備え、フロートの排水溝内底部への下降時に該フロートにより、又はフロート及び該フロート上に付設した浸入阻止体により小動物の浸入を阻止可能に構成されるため、排水溝内に雨水が流れていない時は、支点を中心として排水溝内底部に自重で下降したフロートが排水溝内を塞いだ状態になる。
従って、小動物の浸入を阻止することができる。
また、排水溝内に雨水が流れている時は、フロートは雨水の水量に応じ浮力で支点を中心として上昇するため、雨水をスムーズに流すことができるし、雨水により小動物の浸入を阻止することができる。
また、フロートは雨水により浮き上がるので、ゴミが堆積することもない。
【００１１】
請求項２記載の発明では、上述のように、フロートにおける排水溝の巾方向の縦断面形状が排水溝の内面形状にほぼ沿った略方形であり、かつ、排水溝の巾方向と直交する縦断面形状がフロートの底面から排水溝の上流側面にかけて排水溝の上流側へ向けて立ち上がる流線型に形成されることで、雨水の流れの抵抗にならず、雨水をよりスムーズに流すことができる。
また、ゴミの堆積防止効果も高まる。
【００１２】
請求項３記載の発明では、上述のように、フロートの平面形状が上流側先細り状に形成されることで、雨水の流れの抵抗にならず、雨水をさらにスムーズに流すことができる。
また、ゴミの堆積防止効果もさらに高まる。
【００１３】
請求項４記載の発明では、上述のように、フロートが球体であり、該フロートの上面に浸入阻止体を付設した構造とすることで、既成品である漁業用の円形フロートの利用が可能で、これにより、初期コストの低減が可能で安価に提供することができる。
【図面の簡単な説明】
【００１４】
【図１】実施例１の排水溝における小動物侵入防止具の使用状態を示す側面図である。
【図２】実施例１の排水溝における小動物侵入防止具の使用状態を示す断面図である。
【図３】実施例１のフロートを示す平面図である。
【図４】実施例１のフロートを示す正面図である。
【図５】実施例１のフロートを示す側面図である。
【図６】実施例２の排水溝における小動物侵入防止具の使用状態を示す平面図である。
【図７】実施例２の排水溝における小動物侵入防止具の使用状態を示す断面図である。
【図８】実施例２の排水溝における小動物侵入防止具の使用状態を示す側面図である。
【発明を実施するための形態】
【００１５】
以下にこの発明の実施例を図面に基づいて説明する。
【実施例１】
【００１６】
まず、この実施例１の排水溝における小動物侵入防止具を図面に基づいて説明する。
【００１７】
この排水溝における小動物侵入防止具は、図１〜５に示すように、排水溝１内において雨水の上流側で排水溝１の開口縁部付近を支点として上下回動可能なフロート２と、該フロート２を排水溝１内において上下回動自在に設置する回動支持体３を備えている。
【００１８】
この実施例１のフロート２は、排水溝内底部１１への下降時に該フロート２により小動物の浸入を阻止可能な形状に形成されている。
【００１９】
すなわち、前記フロート２は、図４に示すように、フロート２における排水溝1の巾方向の縦断面形状が排水溝1の内面形状にほぼ沿った略方形であり、かつ、図５に示すように、排水溝１の巾方向と直交する縦断面形状がフロート２の底面２１から排水溝１の上流側面２２にかけて排水溝１の上流側へ向けて立ち上がる流線型に形成されている。なお、この実施例１では、排水溝１の巾方向と直交するフロート２の縦断面形状が略逆三角形状に形成されている。
【００２０】
また、フロート２の平面形状は、図３に示すように、上流側先細り状の円弧状に形成されている。
【００２１】
前記回動支持体３は、図１、２に示すように、排水溝１の両側壁１２、１２の上面である排水溝１の開口縁部に掛け渡した状態で取り付け固定可能に構成され、この回動支持体３に備えた軸支部３１に対しフロート２の連結部２３が上下回動自在に接続されている。
すなわち、前記回動支持体３の固定は、その両端突出部３２、３２を排水溝１の両側に埋設されたアンカー７、７にナット締め固定することにより行う。
なお、この小動物侵入防止具は、一般道路側である溝蓋４を被せた排水溝１における溝蓋４の上流側に近接して設置することにより、排水溝１を伝った小動物の浸入を阻止することができる。
【００２２】
次に、実施例１の作用・効果を説明する。
この実施例１の排水溝における小動物侵入防止具では、上述のように、排水溝１内において雨水の上流側で排水溝１の開口縁部付近を支点として上下回動可能なフロー２を備え、フロー２の排水１内底部１２への下降時に該フロート２により小動物の浸入を阻止可能に構成されるため、排水溝１内に雨水が流れていない時は、図１、２の実線で示すように、支点である軸支部３１を中心として排水溝内底部１２に下降したフロート２が排水溝１内を塞いだ状態になる。
従って、小動物の浸入を阻止することができる。
【００２３】
また、排水溝１内に雨水が流れている時は、図１の一点鎖線で示すように、フロート２は雨水の水量に応じ浮力で支点である軸支部３１を中心として上昇するため、雨水をスムーズに流すことができるし、雨水により小動物の浸入を阻止することができる。
また、フロート２は雨水により浮き上がるので、ゴミが堆積することもない。
【００２４】
また、フロート２における排水溝１の巾方向の縦断面形状が排水溝１の内面形状にほぼ沿った略方形であり、かつ、フロート２の底面２１から排水溝１の上流側面２２にかけて排水溝１の上流側へ向けて立ち上がる流線型に形成されることで、雨水の流れの抵抗にならず、雨水をよりスムーズに流すことができる。
また、ゴミの堆積防止効果も高まる。
【００２５】
また、フロート２の平面形状が上流側先細り状の円弧状に形成されることで、雨水の流れの抵抗にならず、雨水をさらにスムーズに流すことができる。
また、ゴミの堆積防止効果もさらに高まる。
【００２６】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２７】
この実施例２は、実施例１における装置の変形例を示すものであり、図６〜８に示すように、前記フロート２が球体であり、該フロート２の上面に浸入阻止体５を付設している点が、上記実施例１とは相違したものである。
【００２８】
この実施例２のフロート２は、既成品である漁業用のフロート２ａを利用するもので、このフロート２ａには、２箇所に紐などを連結する孔を有する連結部２４、２５が突出形成されており、この一方の連結部２４に連結バー６をボルト締め固定し、もう一方の連結部２５に浸入阻止体５をボルト締め固定する構成としている。
そして、フロート２ａは、連結バー６の先端を回動支持体３に備えた軸支部３１に対し上下回動自在に連結されている。
【００２９】
前記浸入阻止体５は、排水溝１内に雨水が流れていない時に、図８の実線で示すように、排水溝内底部１１に自重で下降した球体のフロート２ａの上面と溝蓋４との間に形成される隙間を塞ぐ役目をなすもので、フロート２ａと浸入阻止体５により小動物の浸入を阻止する。なお、浸入阻止体５は、この実施例２では櫛刃状に形成されているが、板状にするなど形状は任意である。
また、排水溝１に雨水が流れる時は、図８の一点鎖線で示すように、フロート２ａは雨水の水量に応じ浮力で支点である軸支部３１を中心として上昇するため、雨水をスムーズに流すことができるし、雨水により小動物の浸入を阻止することができる。
【００３０】
従って、この実施例２では、上記実施例１と同様の効果が得られる他、既成品である漁業用の円形フロートの利用が可能で、これにより、初期コストの低減が可能で安価に提供することができるという追加の効果が得られる。
【００３１】
以上本実施例を説明してきたが、本発明は上述の実施例に限られるものではなく、本発明の要旨を逸脱しない範囲の設計変更等があっても、本発明に含まれる。
【００３２】
例えば、実施例１では、回動支持体３の固定は、その両端突出部３２、３２を排水溝１の両側に埋設されたアンカー７、７にナット締め固定することにより行う例を示したが、排水溝１の開口縁部に固定するなど、固定方法は任意である。
【００３３】
また、実施例では傾斜する排水溝に設置する例を示したが、水平な排水溝にも設置可能であり、また、排水溝の種類も任意である。
【符号の説明】
【００３４】
１  排水溝
１１  排水溝底部
１２  側壁
２  フロート
２ａ  漁業用のフロート
２１  フロートの底面
２２  フロートの上流側面
２３  連結部
２４  連結部
２５  連結部
３  回動支持体
３１  連結部
４  溝蓋
５  浸入阻止体
６  連結バー
７  アンカー
【図１】
2013151790.tif 000003
【図２】
2013151790.tif 000004
【図３】
2013151790.tif 000005
【図４】
2013151790.tif 000006
【図５】
2013151790.tif 000007
【図６】
2013151790.tif 000008
【図７】
2013151790.tif 000009
【図８】
2013151790.tif 000010